(57)【要約】      （修正有）【課題】サイドミラーに対する接触（交通）事故を防止できるウィンカー灯を提供する。【解決手段】車輌のサイドミラーにスイッチ入れ切れ変え時、点滅、点灯できる黄色（灯）のウィンカーが取り付けられている。スイッチ入れ切れ変え時、点滅、点灯する共立拒絶色サイドミラー黄色ウィンカー灯１は、車輌の車色が黄色のサイドミラーには、スイッチ入れ切れ変え時、点滅点灯する共立拒絶色サイドミラーオレンヂ色ウインカー灯２が取り付けられている。車輌の（車色）のサイドミラー下地色に青緑（メラトニン系）色を理想とする、反射性光塗料（等）３や、ビニールテープ３等を装着、その上に、スイッチ入れ切れ変え時、点滅点灯する反射性光塗料（テープ）付共立拒絶色サイドミラー黄色ウィンカー灯４が取り付けられている。【選択図】図１
2019077425.tif 000002
【特許請求の範囲】
【請求項１】
車輌のサイドミラーに、スイッチ入れ切れ変え時に、ウィンカーにもなる（車幅灯をして、）黄色灯若しくは、オレンヂ色灯を点滅、点灯できる、「スイッチ入れ切れ変え時、点滅点灯する共立拒絶色サイドミラー黄色ウィンカー灯（Ｔ、７２１）」「スイッチ入れ切れ変え時点滅点灯する共立拒絶色サイドミラーオレンヂ色ウィンカー灯（Ｔ、７２２）」「スイッチ入れ切れ変え時点滅点灯する反射性光塗料（テープ）付共立拒絶色サイドミラー黄色ウィンカー灯（Ｔ、７２３）」
【発明の詳細な説明】
【技術分野】
【０００１】有視、可視光線中、（自車色等との）組み合せ色によっては、アドレナリン色にも、メラトニン色にもなる。と、考えられている黄色灯をスイッチ入れ切れ変え時、（点滅）点灯できる発光（色）灯にしてみて、サイドミラーに取り付けてみると、ウィンカーにもなり、自車の（出っ張り部分の）サイドミラー車幅（灯）を保護し、交通事故を（予妨し、）防止できる発光（点滅）灯を造る技術力が生じた。（車色が黄色の場合は、サイドミラーウィンカー灯色は、オレンヂ色を理想する他、下地色を緑色にする。）
【背景技術】
【０００２】●非特許分献、２００７−２１１９７９号、「プラズムアクセサリー」
●非特許分献、２０１０−０９５４６０号、「パロットライトＩＩ」（平成２７年８月２１日、審理終結）
●非特許分献、２０１３−１４１０８５号、「パロットライトＩＩＩ」
【先行技術分献】
【０００３】●新規文献、２０１５−１５４５６８号、「四次元、五次元の法則、車間航行機路内、侵害、侵入物発見電波送信器具。」
●新規文献、２０１５−２０２４０５号、「四次元、五次元の法則、車間航行機路内、侵害、侵入物発見電波送信器具。」
●新規文献、２０１５−２５７８６２号、「四次元、五次元の法則、車間航行機路内、侵害、侵入物発見電波送信器具。」
【発明の概要】
【発明が解決しようとする課題】
【０００４】  筆者は、免許（証）採りが趣味であった中、―――１６才で車輌免許を採ってから、之れ等を使用しながら、２０数余年間に、大小含め、覚えているだけで、１８回  交通事故を起こしているものであり、全て、過失至死事故には至らずに物損事故で終っているものである事を思い出し、（絶対に任意保険は、入っておくべし、とし、）胸を撫でおろしていた。―――しかし併、その中でも、６回は、自車のサイドミラーの出っ張りに対する、接触事故であり、（その内の一件は、）フザケっこしているコドモであった。
どうしたならば、この（自車に対する、サイドミラーに対しての、）接触事故を防げるか！について考えた。課題が生じた。
【課題を解決する為の手段】
【０００５】  有視可視光線中（自車色等との、）組み合せ色によっては、アドレナリン色にも、メラトニン色にもなる。と、考えられている、黄色灯を、スイッチ入れ切れ変え時、（点滅）点灯できる発光灯にしてみて、サイドミラーに取り付けてみると、ウィンカーにもなり、自車の（出っ張り部分の）サイドミラー車幅（灯）を保護し、交通事故を（予妨し、）防止できる発光（点滅）灯にして造り、課題の解決手段にした。
【発明の効果】
【０００６】  自ずと、そこに注意が行き届くものとなり、その後に於いて、サイドミラーに対する接触事故等が激減した。（統計実験）
【図面の簡単な説明】
【０００７】
【図１】  車輌のサイドミラーにスイッチ入れ切れ変え時、点滅、点灯できる黄色（灯）のウィンカーが取り付けられている事が図示され、●「スイッチ入れ切れ変え時、点滅、点灯する共立拒絶色サイドミラー黄色ウィンカー灯（Ｔ、７２１）を図示し、車輌の車色が黄色のサイドミラーには、●「スイッチ入れ切れ変え時、点滅点灯する共立拒絶色サイドミラーオレンヂ色ウインカー灯（Ｔ、７２２）」が取り付けられている物を図示する他、車輌の（車色）のサイドミラー下地色に青緑（メラトニン系）色を理想とする、反射性光塗料（等）や、ビニールテープ等を装着させている事を図示し、その上に、●「スイッチ入れ切れ変え時、点滅点灯する反射性光塗料（テープ）付共立拒絶色サイドミラー黄色ウィンカー灯（Ｔ、７２３）」が取り付けられている事を（拡大）図示。
【発明を実施する為の形態】
【０００８】現代迄に於いて、普通（中型）車輌の側面部には、数少な目に取り付けられていた車幅灯に為して、（特に、）一番、出っ張りのあるサイドミラー部位に於いては、スイッチ入り切れ変え時、ウィンカー機能を兼ね備え持つ車幅灯にもなる形態（灯）を理想として発明されていた。
【実施例】
【０００９】この様に、スイッチ入れ切れ変え時には、（点滅）点灯し、ウィンカーにもなる（黄色）車幅灯を通常、普通車の（運転者の、）目線近くにあって、ドア近くに取り付けられている場合を多くし、一般に、歩行者や、他、他行者（対航車）の目線（仰角、俯角）内にも入り易く、主に交差点や、横断歩道（近く）にある人々の多くの注意を引き易く、これらの交通事故（防止）予妨にも役立つものとなった。
【産業上利用の可能性】
【００１０】本発明（案件）論説内に観られる様に、（統計的に見ても、）長年の内にさへ、（大切にしている、）自家用車のサイドミラーの（出っ張り）部分の接触事故は、数を数える程に迄、起っているものであり、（タクシーを除いて、）車幅灯の少ない、普通（中型）車にも、少しでも多くの車幅灯を附帯させ、目立つ様にし、之れらの（交通）事故を少しでも減したい旨、考えられ、之れ等に、之れ等を取り付けさせ、「横断歩道」や、「交差点」上にある人々の（視点移動実験の結果）８８％〜９５％以上の人々の視先（等）が、之の発明される、ウィンカーサイドミラー灯を（意識して、）見ている事が分り、（サイドミラーに対しての）交通事故防止（予妨）に本発明品は、寄与、貢献している事を発光灯（機）等を製産する産業界が理解する際には、産業上の利用の可能性は、極めて大きいものとなった。
【符号の説明】
【００１１】１．車輌の（ドア）サイドミラーに、スイッチ入れ切れ変え時、点滅点灯できる黄色（灯）のウィンカーが取り付けられている事を立体図に示され、●「スイッチ入れ切れ変え時、点滅、点灯する共立拒絶色サイドミラー黄色ウィンカー保護（色）灯（Ｔ、７２１）を図示し、２．車輌の車色が黄色の車輌のサイドミラーには、●「スイッチ入れ切れ変え時点滅点灯する共立拒絶色サイドミラーオレンヂ色ウィンカー保護（色）灯（Ｔ、７２２）を取り付ける他、３．車輌（の車色）が黄色のサイドミラーの時の、サイドミラー（一部分）の下地色に青緑（メラトニン系）色を理想とする、反射性光塗料（等）や、ビニールテープ等を装着させている事を図示し、４．その上に、●「スイッチ入れ切れ変え時、点滅点灯する反射性光塗料（テープ）付共立拒絶色サイドミラー黄色ウィンカー保護灯（Ｔ、７２３）」がとり付けられている事を（拡大）図示。
【図１】
2019077425.tif 000003